【事件の表示】
　特願２０１３−５５３５００「ＣＤＭＡダイバーシティ受信機経路が時間二重受信機と共有されたＣＤＭＡトランシーバ」拒絶査定不服審判事件〔平成２４年　８月１６日国際公開、ＷＯ２０１２／１０９２７６、平成２６年　４月１７日国内公表、特表２０１４−５０９４９６〕について、次のとおり審決する。
【結　論】
　本件審判の請求は、成り立たない。
【理　由】
１．手続の経緯
　本願は、２０１２年２月７日（パリ条約に基づく優先権主張２０１１年２月７日、アメリカ合衆国、２０１２年２月６日、アメリカ合衆国）を国際出願日とする出願であって、平成２５年１０月１日付けて手続補正がなされ、平成２６年１０月１６日付けて拒絶の理由が通知され、平成２７年１月９日付けで意見書が提出されるとともに、同時に手続補正がなされ、平成２７年１月２６日付けで拒絶査定がなされ、これに対し、平成２７年５月１９日に拒絶査定不服審判が請求されるとともに、同時に手続補正がなされ、平成２７年９月３日付けで上申書が提出されたものである。
２．平成２７年５月１９日付けの手続補正についての補正却下の決定
［補正却下の決定の結論］
　平成２７年５月１９日付けの手続補正（以下、「本件補正」という。）を却下する。
　
［理由］
（１）本件補正
　本件補正により、特許請求の範囲の請求項１は、次のように補正された（下線は補正箇所を示す）。
〈補正前〉
　　【請求項１】
　少なくとも第１および第２のアンテナと、
　ワイヤレスデバイスが第１のモードで動作しているか、または第２のモードで動作しているかに基づいて、前記第１及び第２のアンテナから異なるフィルタ経路への受信信号の経路を制御するための少なくとも第１及び第２のスイッチと、
　　前記デバイスが前記第２のモードで動作しているとき、前記第１のアンテナだけで第１のワイヤレスシステムから受信された信号を処理することと、
　　前記デバイスが前記第１のモードで動作しているとき、受信ダイバーシティを使用して前記第１および第２のアンテナで第２のワイヤレスシステムから受信された信号を処理することと、
　のための少なくとも１つのプロセッサと、
　を備え、
　前記少なくとも１つのプロセッサは、前記デバイスが前記第１のモードで動作しているとき、前記第２のアンテナでの受信のために選択されたフィルタ経路と同じ周波数帯に対応する、前記第１のアンテナでの受信のためのフィルタ経路を選択するように前記第１及び第２のスイッチを制御するように構成される、
　ワイヤレスデバイス。
〈補正後〉
　　【請求項１】
　少なくとも第１および第２のアンテナと、
　ワイヤレスデバイスが第１のモードで動作しているか、または第２のモードで動作しているかに基づいて、前記第１及び第２のアンテナから異なるフィルタ経路への受信信号の経路を制御するための少なくとも第１及び第２のスイッチと、
　　前記デバイスが前記第２のモードで動作しているとき、前記第１のアンテナだけで第１のワイヤレスシステムから受信された信号を処理することと、
　　前記デバイスが前記第１のモードで動作しているとき、受信ダイバーシティを使用して前記第１および第２のアンテナで第２のワイヤレスシステムから受信された信号を処理することと、
　のための少なくとも１つのプロセッサと、
　を備え、
　前記少なくとも１つのプロセッサは、前記デバイスが前記第１のモードで動作しているとき、前記第２のアンテナでの受信のために選択されたフィルタ経路と同じ周波数帯に対応する、前記第１のアンテナでの受信のためのフィルタ経路を選択するように前記第１及び第２のスイッチを制御するように構成され
、前記第１のモードにおける前記第１のアンテナでの受信のために選択されたフィルタ経路は、前記第２のモードにおける前記第１のアンテナでの受信のためのフィルタ経路の１つと同じである
　ワイヤレスデバイス。
　本件補正は、請求項１に記載した発明を特定するために必要な事項である「第１のアンテナでの受信のために選択されたフィルタ経路」について「前記第１のモードにおける前記第１のアンテナでの受信のために選択されたフィルタ経路は、前記第２のモードにおける前記第１のアンテナでの受信のためのフィルタ経路の１つと同じである」との限定を付加するものである。
　本件補正の根拠箇所として、審判請求人は、審判請求書にて第００７４段落及び第００７７段落並びに図８及び図９の説明文を、平成２７年９月３日付け上申書にて第００７７段落、第００８０段落、第００９３段落及び第００９９段落を挙げている。
　そこで、上記根拠箇所について検討する。
　第００７４段落には、「いくつかの態様によれば、ワイヤレスデバイスは、第１のワイヤレスシステムと第２のワイヤレスシステムとの間の受信経路の共有を有効にするために制御可能なスイッチの構成を含み得る。たとえば、ワイヤレスデバイスは、ワイヤレスデバイスの動作モードに基づいて第１および第２のワイヤレスシステムの受信経路を選択的に完了するために、第１のアンテナに結合された第１のスイッチと、第２のアンテナに結合された第２のスイッチとを有することができる。態様によれば、第１および第２のワイヤレスシステムの受信経路を選択的に完了するために、スイッチが使用され得る。第２のワイヤレスシステムから受信される信号を処理するとき、デバイスは、第１のモードで動作するように構成され得る。」と記載されている。
　上記記載によれば、制御可能なスイッチの構成によって、第１のワイヤレスシステムと第２のワイヤレスシステムとの間の受信経路の共有が有効となることが読み取れる。
　しかしながら、ワイヤレスシステムが異なれば通信に用いる帯域は異なることは技術常識であるから、例えば、図８において、第１のワイヤレスシステム（例えばＧＳＭ）を用いる場合にＴ／Ｒスイッチ８０８が選択するフィルタ経路（すなわちＢＰＦ）と、第２のワイヤレスシステム（例えばＷＣＤＭＡ）を用いる場合にＴ／Ｒスイッチ８０８が選択するフィルタ経路（すなわちＢＰＦ）とは、当然異なると理解される。
　仮に、ＧＳＭを用いる場合とＷＣＤＭＡを用いる場合とで同じＢＰＦを使用できるとするならば、相異なる帯域で伝送された信号を同一の帯域通過特性を持つＢＰＦでフィルタすることによっても良好に復調及び復号が可能となるような特別な手段が必要となるが、そのような手段は発明の詳細な説明に記載されていない。
　してみると、第００７４段落の記載は、異なるワイヤレスシステム間で、アンテナ及びそれに付属するアンテナモジュール（例えば、図９におけるアンテナ１ ８０４及びアンテナ１モジュール９０８）を全体として共有することについて述べたに過ぎないと理解され、アンテナモジュール内の特定のフィルタ経路を共有することまでを述べたものとは理解されない。
　第００７７段落には、「図８は、半二重トランシーバシステムと全二重トランシーバシステムとの間でアンテナを共有することをサポートする無線フロントエンド８００の例示的なシステムブロック図を示す。態様によれば、全二重ダイバーシティ受信経路は、時間二重受信機と共有され得る。図示されていないが、フロントエンドは、信号を、たとえば図２〜図６に関して上述したものなど、ＲＦユニット２５０およびモデムプロセッサ２６０と交換することができる。」と記載されている。
　これについても第００７４段落の記載と同様であり、例えば図４のダイバーシティアンテナ２０４及びそれに付属する第２のセクション２１４ｃが全体としてＧＳＭシステムとＣＤＭＡシステムとで共用されていることを述べているに過ぎないと理解され、、アンテナモジュール内の特定のフィルタ経路を両システムで共有することまでを述べたものとは理解されない。
　第００８０段落には、「（たとえば、ＦＤＤ、ＣＤＭＡ、ＷＣＤＭＡ、ＬＴＥおよびＴＤＭＡなど）第２のワイヤレスシステムから受信される信号を処理するとき、ワイヤレスデバイスは、第１のモードで動作するように構成され得る。第１のモードでは、デバイスは、受信ダイバーシティを使用して、第１のアンテナ８０４および第２のアンテナ８０２において受信信号を処理し得る。たとえば、ワイヤレスデバイスは、第１のアンテナ８０４および第２のアンテナ８０２において並行して受信信号を処理することができる。第１のモードである間、デバイスは、第２のアンテナ８０２およびＴ／Ｒスイッチ８０６を介して受信するために選択される周波数経路に対応し得る第１のアンテナ８０４およびＴ／Ｒスイッチ８０８を介した受信フィルタ経路８１６、８１８、８２８を選択することができる。このようにしてフィルタ経路を選択することによって、デバイスは、受信ダイバーシティのために第１および第２のアンテナを使用することができる。」と記載されている。
　この記載は、第１のモード（つまり、受信ダイバーシティを行うモード）において、第１のアンテナ及び第２のアンテナが共に第２のワイヤレスシステムの信号を受信する場合について述べたものであって、第１のワイヤレスシステムと第２のワイヤレスシステムとでフィルタ経路を共用することについて述べたものではない。
　第００９３段落には、「態様によれば、第２のアンテナ８０２、Ｔ／Ｒスイッチ９１８、およびアンテナ２モジュール９０６は、たとえば、デュプレクサ８１４ａを介してアクティブであり得る。デュプレクサ８１４ａに相当する周波数帯域は、第１のアンテナ８０４を介したダイバーシティ受信のために選択され得る。たとえば、アンテナ８０４、Ｔ／Ｒスイッチ９２０、およびアンテナ１モジュール９０８は、フィルタ９１６を介して第２のワイヤレスシステムの信号を受信することができる。」と記載されている。
　この記載は、第００８０段落と同様に、第２のシステムの信号をダイバーシティ受信することについて述べたに過ぎず、第１のワイヤレスシステムと第２のワイヤレスシステムとでフィルタ経路を共用することについて述べたものではない。
　第００９９段落には、「図８〜図９を参照しながら上記で説明したように、第２のワイヤレスシステムからの信号の受信は、第１のアンテナ８０４および第２のアンテナ８０２を介し得る。たとえば、ＣＤＭＡ信号は、第２のアンテナ８０２およびアンテナ２モジュール１００２を介して受信され得る。第１のアンテナ８０４における受信ダイバーシティでは、フィルタは、たとえば９１６など、アンテナ１モジュール１００４において選択され得、これは、アンテナ２モジュール１００２において受信するために選択される周波数帯域に等しくてもよい。」と記載されている。
　この記載は、第００８０段落と同様に、第２のシステムの信号をダイバーシティ受信することについて述べたに過ぎず、第１のワイヤレスシステムと第２のワイヤレスシステムとでフィルタ経路を共用することについて述べたものではない。
　そして、上記根拠箇所以外の翻訳文を検討しても、アンテナ及びアンテナモジュールを相異なるシステムで共用すること、並びに、ダイバーシティ受信モードにおいて第２ワイヤレスシステムの信号を受信した２つのアンテナそれぞれに接続される２つのアンテナモジュールにて双方のアンテナモジュールで用いるフィルタ経路を同一の周波数帯域のためのものとすること以上のことは記載されておらず、「前記第１のモードにおける前記第１のアンテナでの受信のために選択されたフィルタ経路は、前記第２のモードにおける前記第１のアンテナでの受信のためのフィルタ経路の１つと同じである」ということは読み取ることができない。
　以上によれば、本件補正は、翻訳文等の全ての記載を総合することにより導かれる技術的事項との関係において、新たな技術的事項を導入するものであって、翻訳文等に記載した事項の範囲内においてしたものとはいえない。
　したがって、本件補正は、特許法第１７条の２第３項の規定に違反するので、同法第１５９条第１項において読み替えて準用する同法第５３条第１項の規定により却下すべきものである。
（２）独立特許要件
　以下では、仮に、本件補正が特許法第１７条の２第３項の規定に違反せず、同法第１７条の２第４項第２号の特許請求の範囲の減縮を目的とするものに該当するとした場合、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について検討する。
　本件補正によって請求項１に新たに追加された「前記第１のモードにおける前記第１のアンテナでの受信のために選択されたフィルタ経路は、前記第２のモードにおける前記第１のアンテナでの受信のためのフィルタ経路の１つと同じである」との事項は、（１）で述べたのと同様の理由で、発明の詳細な説明に記載された事項であるとは認められない。
　したがって、本件補正後の請求項１に係る発明は、特許法第３６条第６項第１号に規定する要件を満たしていない。
　加えて、上記事項のうち、一方のフィルタ経路が他方のフィルタ経路と「同じである」とは、以下の（ア）から（エ）のいずれを意味するのかが不明確である。
（ア） 一方のフィルタ経路と他方のフィルタ経路とが、回路上で同一の部分である
（イ） 一方のフィルタ経路と他方のフィルタ経路とが、回路上では異なる部分であるが、回路特性として同一である
（ウ） 一方のフィルタ経路と他方のフィルタ経路とが、フィルタ経路の集合であるアンテナモジュールとして同一のモジュール内に含まれる
（エ） その他
　したがって、本件補正後の請求項１に係る発明は、特許法第３６条第６項第２号に規定する要件を満たしていない。
　上記のとおり、本件補正後の請求項１に係る発明は、特許法第３６条第６項第１号及び第２号に規定する要件を満たしていないので、特許出願の際独立して特許を受けることができないものである。
　
（３）むすび
　（１）のとおり、本件補正は、特許法第１７条の２第３項の規定に違反するので、同法第１５９条第１項において読み替えて準用する同法第５３条第１項の規定により却下すべきものである。
　仮に、本件補正が限定的減縮に該当するものであったとしても、（２）のとおり、本件補正は、特許法第１７条の２第６項において準用する同法第１２６条第５項の規定に違反するので、同法第１５９条第１項において読み替えて準用する同法第５３条第１項の規定により却下すべきものである。
３．本願発明について
　平成２７年５月１９日付けの手続補正は上記のとおり却下されたので、本願の請求項１に係る発明（以下、「本願発明」という。）は、平成２７年１月９日付け手続補正書の特許請求の範囲の請求項１に記載された事項により特定される、以下のとおりのものである。
　　【請求項１】
　少なくとも第１および第２のアンテナと、
　ワイヤレスデバイスが第１のモードで動作しているか、または第２のモードで動作しているかに基づいて、前記第１及び第２のアンテナから異なるフィルタ経路への受信信号の経路を制御するための少なくとも第１及び第２のスイッチと、
　　前記デバイスが前記第２のモードで動作しているとき、前記第１のアンテナだけで第１のワイヤレスシステムから受信された信号を処理することと、
　　前記デバイスが前記第１のモードで動作しているとき、受信ダイバーシティを使用して前記第１および第２のアンテナで第２のワイヤレスシステムから受信された信号を処理することと、
　のための少なくとも１つのプロセッサと、
　を備え、
　前記少なくとも１つのプロセッサは、前記デバイスが前記第１のモードで動作しているとき、前記第２のアンテナでの受信のために選択されたフィルタ経路と同じ周波数帯に対応する、前記第１のアンテナでの受信のためのフィルタ経路を選択するように前記第１及び第２のスイッチを制御するように構成される、
　ワイヤレスデバイス。
（１）引用文献
引用文献１．特表２００７−５３３２６１号公報（拒絶査定の引用文献２）
（１−１）引用文献１の記載
　引用文献１には、図面と共に、以下の事項が記載されている。
（ア）第００２０段落、第００２６段落、第００２７段落及び第００３６段落
【００２０】
　
図２は、２本のアンテナの無線デバイス110aのブロック図を示しており、これは、無線デバイス110の１つの実施形態である。
【００２６】
　さらに加えて、デュプレクサ232aは、主アンテナ202からの受信信号を、Ｔ／Ｒスイッチ220aを介して受信し、受信信号を、主ＣＤＭＡ受信経路へルート設定する。デュプレクサ232aは、ＣＤＭＡのための送信経路と主受信経路との間に切り離しを与え、これらの２本の経路の各々にとって望ましくない信号成分をフィルタで取り除き、全二重通信のために、これらの２本の信号経路の同時の動作を支援する。(ＧＳＭでは、送信および受信経路は、同時にアクティブでないので、デュプレクサは不要である)。主ＣＤＭＡ受信経路は、低雑音増幅器(ＬＮＡ)234aおよびフィルタ236aを含んでいる。ＬＮＡ234aは、主アンテナ202からの受信信号を増幅し、増幅された受信信号を与える。フィルタ236aは、増幅された受信信号をフィルタにかけ、主ＣＤＭＡ受信信号（ＣＲＭＸ）をＲＦユニット250aに与える。
フィルタ236aは、ＣＤＭＡ受信帯域(ＣＤＭＡ ＲＸ)に等しい帯域幅をもつＳＡＷフィルタで実施され得る。
【００２７】
　
第２の部分214a内では、ダイプレクサ（dipexer）230aは、ダイバーシティアンテナ204、第２のＧＳＭ受信経路、およびダイバーシティＣＤＭＡ受信経路に結合する。
ダイバーシティＣＤＭＡ受信経路は、
ＣＤＭＡ受信帯域(ＣＤＭＡ ＲＸ)のための第２のダイプレクサ出力信号をフィルタにかけるフィルタ236bと、
フィルタ236bからのフィルタにかけられた信号を増幅し、ダイバーシティＣＤＭＡ受信信号(ＣＲＸＤ)をＲＦユニット250aに与えるＬＮＡ234bとを含む。フィルタ
236bは、
ＣＤＭＡ受信帯域
を予め選択するためのフィルタリングを行う。
【００３６】
　ダイバーシティモードで動作するとき、主およびダイバーシティＣＤＭＡ受信経路の両者は、アクティブであり、ＣＤＭＡ受信帯域上の同じＲＦチャネルに同調させられる。ＲＦユニット250aは、主およびダイバーシティＣＤＭＡ受信経路からの、主およびダイバーシティＣＤＭＡ受信信号をそれぞれ処理し、主およびダイバーシティベースバンド受信信号(Ｃ  ＲＸＭおよびＣ  ＲＸＤ)をそれぞれ与える。次に、(ＣＤＭＡにおいて一般に使用されている)レーキ受信機が、これらの２つのベースバンド信号の２本のデータサンプルストリームを処理し、組合わせて、向上した受信信号品質をもつ複合受信シンボルストリームを得て、これは、１ビット当りのエネルギ対総雑音比（energy-per-bit-to-total-noise ratio, Eb/No）によって量子化され得る。より高いＥｂ／Ｎｏは、ＣＤＭＡ １Ｘ ＥＶ−ＤＯ、ＵＭＴＳ高速パケットデータ、ＵＭＴＳ高速回線交換データ、等のような、高データレートの応用に向上した性能(例えば、より高い総スループット)を与えることができる。
（イ）第００４１段落及び第００４５段落から第００４７段落
【００４１】
　
図３は、２本のアンテナの無線デバイス110bのブロック図を示しおり、これは、無線デバイス110の別の実施形態である。
【００４５】
　
第２の部分214b内では、トリプレクサ（triplexer）230bはダイバーシティアンテナ204に結合し、アンテナ204から受信信号を得て、第１および第２のトリプレクサ出力信号を、第２および第４のＧＳＭ受信経路にそれぞれ与え、第３のトリプレクサ出力信号を、ダイバーシティＣＤＭＡ受信経路に与える。
【００４６】
　部分212b内のＣＤＭＡ送信経路および主ＣＤＭＡ受信経路は、図２の部分212a内のものと同じである。
部分214b内のダイバーシティＣＤＭＡ受信経路は、図２の部分214a内のものと同じものである。
【００４７】
　トランシーバシステム210bは、種々のやり方で動作され得る。テーブル２は、トランシーバシステム210bによって支援されている幾つか動作モードを載せている。
（ウ）第００４７段落中の表２からは、動作モード１では主アンテナ及びダイバーシティアンテナによってＣＤＭＡシステムからの信号のダイバーシティ受信が行われること、及び、動作モード４ではダイバーシティアンテナだけでＧＳＭシステムからの信号の受信が行われることが読み取れる。
（エ）第００４９段落から第００５２段落
【００４９】
　図４は、２本のアンテナの無線デバイス110cのブロック図を示しており、これは、無線デバイス110のさらに別の実施形態である。
無線デバイス110cは、トランシーバシステム210cを含み、これは、ＲＸダイバーシティを備えたＣＤＭＡのための２つの周波数帯域を支援し(例えば、ＰＣＳおよびセルラ)、ＧＳＭのための４つの周波数帯域を支援する(例えば、ＧＳＭ１９００、ＧＳＭ１８００、ＧＳＭ９００、およびＧＳＭ８５０)。トランシーバシステム210cは、第１の部分212c、第２の部分214c、およびＲＦユニット250cを含んでいる。第１の部分212cは、４つのＧＳＭ帯域のための２本のＧＳＭ送信経路、２つのＧＳＭ帯域のための第１および第３のＧＳＭ受信経路、並びに２つのＣＤＭＡ帯域のための２本のＣＤＭＡ送信経路および２本の主ＣＤＭＡ受信経路を含んでいる。第２の部分214cは、他の２つのＧＳＭ帯域のための第２および第４のＧＳＭ受信経路と、２つのＣＤＭＡ帯域のための２つのダイバーシティＣＤＭＡ受信経路とを含んでいる。ＲＦユニット250cは、部分212cおよび214cのために信号を調整する。
【００５０】
　
第１の部分212c内では、ＳＰ５ＴのＴ／Ｒスイッチ220cは、主アンテナ202に結合された１つの共通のＲＦポートと、５つのＩ／Ｏ ＲＦポートとをもち、５つのＩ／Ｏ ＲＦポートは、２本のＧＳＭ送信経路、第１および第３のＧＳＭ受信経路、並びにＣＤＭＡ送信／主受信経路のためのダイプレクサ222に結合されている。部分212c内の２本のＧＳＭ送信経路と、第１および第３のＧＳＭ受信経路とは、図３の部分212b内のものと同じものである。第１のＣＤＭＡ帯域のための送信経路および主受信経路は、図２において既に記載されたデュプレクサ232a、ＬＮＡ234a、フィルタ236aおよび242a、電力増幅器244a、並びにアイソレータ246aで実施される。第２のＣＤＭＡ帯域のための送信経路および主受信経路は、デュプレクサ232b、ＬＮＡ234c、フィルタ236cおよび242b、電力増幅器244b、並びにアイソレータ246bで実施され、これらは、第２のＣＤＭＡ帯域のために設計されている。ダイプレクサ222は、Ｔ／Ｒスイッチ220cの１つのＩ／Ｏ ＲＦポート、デュプレクサ232aの１つのポート、およびデュプレクサ232bの１つのポートに結合している。ダイプレクサ222は、Ｔ／Ｒスイッチ220cとデュプレクサ232aとの間で、第１のＣＤＭＡ帯域のための第１のＣＤＭＡ信号をルート設定し、さらに加えて、Ｔ／Ｒスイッチ220cとデュプレクサ232bとの間で、第２のＣＤＭＡ帯域のための第２のＣＤＭＡ信号をルート設定する。
【００５１】
　
第２の部分214c内では、クアドプレクサ（quadplexer）230cは、ダイバーシティアンテナ204、第２および第４のＧＳＭ受信経路、並びに２本のダイバーシティＣＤＭＡ受信経路に結合している。部分214c内の第２および第４のＧＳＭ受信経路と第１のダイバーシティＣＤＭＡ受信経路とは、図３の部分214b内のものと同じものである。第２のダイバーシティＣＤＭＡ受信経路は、フィルタ236dおよびＬＮＡ234dで実施され、これらは、第２のＣＤＭＡ帯域のために設計されている。
【００５２】
　
トランシーバシステム210cにおいて、主アンテナ202は、送信および受信の両者に使用され、一方で、ダイバーシティアンテナ204は、受信のみに使用される。ＳＰ５Ｔスイッチ220cは、第１の部分212c内の全てのＧＳＭおよびＣＤＭＡ送信経路、２本のＧＳＭ受信経路、並びに２本の主ＣＤＭＡ受信経路を支援することができる。クアドプレクサ230cは、第２の部分214c内の２本のＧＳＭ受信経路および２本のダイバーシティＣＤＭＡ受信経路を支援することができる。
（オ）図２及び図３よれば、図３の実施形態は、図２の実施形態に対して、主アンテナ側にＧＳＭの送信経路としてＧＴＸ３及びＧＴＸ４とＧＳＭの受信経路としてＧＲＸ３とを追加し、ダイバーシティアンテナ側にＧＳＭの受信経路としてＧＲＸ４を追加し、これらの経路の増加に伴って、図２の実施形態のＳＰ３Ｔ Ｔ／Ｒスイッチ220aをＳＰ５Ｔ Ｔ／Ｒスイッチ220bに変更し、図２の実施形態のダイプレクサ230aをトリプレクサ230bに変更したものであることが理解できる。
（カ）図３及び図４によれば、図４の実施形態は、図３の実施形態に対して、主アンテナ側にＣＤＭＡの送受信経路としてＣＴＸ２及びＣＲＸ２Ｍを追加し、ダイバーシティアンテナ側にＣＤＭＡの受信経路としてＣＲＸ２Ｄを追加し、ダイバーシティアンテナ側の経路の増加に伴って、図３の実施形態のトリプレクサ230bをクアドプレクサ230cに変更したものであることが理解できる。
（キ）図４によれば、
ＲＦユニット250cがモデムプロセッサ260cと接続されている
　以上の引用文献１の記載によれば、引用文献１には、次の発明（以下、「引用発明１」という。）が記載されていると認められる。
　無線デバイス110cは、トランシーバシステム210cを含み、これは、ＲＸダイバーシティを備えたＣＤＭＡのための２つの周波数帯域を支援し(例えば、ＰＣＳおよびセルラ)、ＧＳＭのための４つの周波数帯域を支援し(例えば、ＧＳＭ１９００、ＧＳＭ１８００、ＧＳＭ９００、およびＧＳＭ８５０)、
　トランシーバシステム210cは、第１の部分212c、第２の部分214c、およびＲＦユニット250cを含み、
　第１の部分212cは、４つのＧＳＭ帯域のための２本のＧＳＭ送信経路、２つのＧＳＭ帯域のための第１および第３のＧＳＭ受信経路、並びに２つのＣＤＭＡ帯域のための２本のＣＤＭＡ送信経路および２本の主ＣＤＭＡ受信経路を含み、
　第２の部分214cは、他の２つのＧＳＭ帯域のための第２および第４のＧＳＭ受信経路と、２つのＣＤＭＡ帯域のための２つのダイバーシティＣＤＭＡ受信経路とを含み、
　ＲＦユニット250cは、部分212cおよび214cのために信号を調整し、
  第１の部分212c内では、ＳＰ５ＴのＴ／Ｒスイッチ220cは、主アンテナ202に結合された１つの共通のＲＦポートと、５つのＩ／Ｏ ＲＦポートとをもち、５つのＩ／Ｏ ＲＦポートは、２本のＧＳＭ送信経路、第１および第３のＧＳＭ受信経路、並びにＣＤＭＡ送信／主受信経路のためのダイプレクサ222に結合され、
　部分212c内の２本のＧＳＭ送信経路と、第１および第３のＧＳＭ受信経路とは、図３の部分212b内のものと同じものであり
　第１のＣＤＭＡ帯域のための送信経路および主受信経路は、図２において既に記載されたデュプレクサ232a、ＬＮＡ234a、フィルタ236aおよび242a、電力増幅器244a、並びにアイソレータ246aで実施され、
　第２のＣＤＭＡ帯域のための送信経路および主受信経路は、デュプレクサ232b、ＬＮＡ234c、フィルタ236cおよび242b、電力増幅器244b、並びにアイソレータ246bで実施され、これらは、第２のＣＤＭＡ帯域のために設計されており、
　ダイプレクサ222は、Ｔ／Ｒスイッチ220cの１つのＩ／Ｏ ＲＦポート、デュプレクサ232aの１つのポート、およびデュプレクサ232bの１つのポートに結合し、ダイプレクサ222は、Ｔ／Ｒスイッチ220cとデュプレクサ232aとの間で、第１のＣＤＭＡ帯域のための第１のＣＤＭＡ信号をルート設定し、さらに加えて、Ｔ／Ｒスイッチ220cとデュプレクサ232bとの間で、第２のＣＤＭＡ帯域のための第２のＣＤＭＡ信号をルート設定し、
  第２の部分214c内では、クアドプレクサ（quadplexer）230cは、ダイバーシティアンテナ204、第２および第４のＧＳＭ受信経路、並びに２本のダイバーシティＣＤＭＡ受信経路に結合し、
　部分214c内の第２および第４のＧＳＭ受信経路と第１のダイバーシティＣＤＭＡ受信経路とは、図３の部分214b内のものと同じものであり、
　第２のダイバーシティＣＤＭＡ受信経路は、フィルタ236dおよびＬＮＡ234dで実施され、これらは、第２のＣＤＭＡ帯域のために設計されており、
  トランシーバシステム210cにおいて、主アンテナ202は、送信および受信の両者に使用され、一方で、ダイバーシティアンテナ204は、受信のみに使用され、ＳＰ５Ｔスイッチ220cは、第１の部分212c内の全てのＧＳＭおよびＣＤＭＡ送信経路、２本のＧＳＭ受信経路、並びに２本の主ＣＤＭＡ受信経路を支援することができ、
　クアドプレクサ230cは、第２の部分214c内の２本のＧＳＭ受信経路および２本のダイバーシティＣＤＭＡ受信経路を支援することができ、
　図３は、２本のアンテナの無線デバイス110bのブロック図を示しおり、これは、無線デバイス110の別の実施形態であり、第２の部分214b内では、トリプレクサ（triplexer）230bはダイバーシティアンテナ204に結合し、アンテナ204から受信信号を得て、第１および第２のトリプレクサ出力信号を、第２および第４のＧＳＭ受信経路にそれぞれ与え、第３のトリプレクサ出力信号を、ダイバーシティＣＤＭＡ受信経路に与え、部分214b内のダイバーシティＣＤＭＡ受信経路は、図２の部分214a内のものと同じものであり、
　図２は、２本のアンテナの無線デバイス110aのブロック図を示しており、これは、無線デバイス110の１つの実施形態であり、フィルタ236aは、ＣＤＭＡ受信帯域(ＣＤＭＡ ＲＸ)に等しい帯域幅をもつＳＡＷフィルタで実施され、
　第２の部分214a内では、ダイプレクサ（dipexer）230aは、ダイバーシティアンテナ204、第２のＧＳＭ受信経路、およびダイバーシティＣＤＭＡ受信経路に結合し、ダイバーシティＣＤＭＡ受信経路は、ＣＤＭＡ受信帯域(ＣＤＭＡ ＲＸ)のための第２のダイプレクサ出力信号をフィルタにかけるフィルタ236bと、フィルタ236bからのフィルタにかけられた信号を増幅し、ダイバーシティＣＤＭＡ受信信号(ＣＲＸＤ)をＲＦユニット250aに与えるＬＮＡ234bとを含み、フィルタ236bは、ＣＤＭＡ受信帯域を予め選択するためのフィルタリングを行い、
　ＲＦユニット250cがモデムプロセッサ260cと接続されている
　無線デバイス。
（２）対比
　本願発明と引用発明１とを以下で対比する。
　引用発明１の「無線デバイス」は、本願発明の「ワイヤレスデバイス」に相当する。
　引用発明１の「主アンテナ202」及び「ダイバーシティアンテナ204」は、それぞれ本願発明の「第２のアンテナ」及び「第１のアンテナ」に相当する。
　引用発明１の「ＧＳＭ」及び「ＣＤＭＡ」は、それぞれ本願発明の「第１のワイヤレスシステム」及び「第２のワイヤレスシステム」に相当する。
　引用発明１の部分212c内の「第１のＣＤＭＡ帯域のための」「主受信経路」は、フィルタ236aを有しているから、本願発明の「フィルタ経路」のうちの１つに相当する。
　引用発明１の部分212c内の「第２のＣＤＭＡ帯域のための」「主受信経路」は、フィルタ236cを有しているから、本願発明の「フィルタ経路」のうちの別のものに相当する。
　引用発明１の部分214c内の「第１のダイバーシティＣＤＭＡ受信経路」は、図３の部分214b内のものと同じものであり、図３の部分214b内のダイバーシティＣＤＭＡ受信経路は、図２の部分214a内のものと同じものであり、図２の第２の部分214a内のダイバーシティＣＤＭＡ受信経路は、フィルタ236bを有するから、本願発明の「フィルタ経路」のうちのさらに別のものに相当する。
　引用発明１の部分214c内の「第２のダイバーシティＣＤＭＡ受信経路」は、フィルタ236dを有するから、本願発明の「フィルタ経路」のうちの、上記３つのものとは別のものに相当する。
　引用発明１の「Ｔ／Ｒスイッチ220c」は、第１のＣＤＭＡ帯域のための主受信経路及び第２のＣＤＭＡ帯域のための主受信経路への受信信号の経路を制御するものであるから、本願発明の「第２のアンテナから異なるフィルタ経路への受信信号の経路を制御するための」「第２のスイッチ」に相当する。
　引用発明１の「クアドプレクサ230c」は、第１のダイバーシティＣＤＭＡ受信経路及び第２のダイバーシティＣＤＭＡ受信経路に対して受信経路を支援するものであるから、「第１のアンテナから異なるフィルタ経路への受信信号の経路を制御するための経路制御手段」である点で、本願発明の「第１のスイッチ」と一致する。
　引用発明１は、部分214cにおいてダイバーシティアンテナ204が第２および第４のＧＳＭ受信経路に結合し、ＲＦユニット250cが部分212cおよび214cのために信号を調整し、RFユニット250cがモデムプロセッサ260cと接続しているのであるから、「第１のアンテナで第１のワイヤレスシステムから受信された信号を処理する」点で、本願発明と一致する。
　引用発明１は、ＲＸダイバーシティを備えたＣＤＭＡのための２つの周波数帯域を支援し、部分212cにおいて主アンテナ202が第１及び第２のＣＤＭＡ主受信経路に結合し、部分214cにおいてダイバーシティアンテナ204が第１及び第２のダイバーシティＣＤＭＡ受信経路に結合し、ＲＦユニット250cが部分212cおよび214cのために信号を調整し、RFユニット250cがモデムプロセッサ260cと接続しているので、「受信ダイバーシティを使用して前記第１および第２のアンテナで第２のワイヤレスシステムから受信された信号を処理する」点で、本願発明と一致する。
　引用発明１の「モデムプロセッサ」は、本願発明の「プロセッサ」に相当する。
　すると、本願発明と引用発明１との一致点及び相違点は、以下のとおりである。
〈一致点〉
　「少なくとも第１および第２のアンテナと、
　前記第１及び第２のアンテナから異なるフィルタ経路への受信信号の経路を制御するための少なくとも経路制御手段及び第２のスイッチと、
　　前記第１のアンテナで第１のワイヤレスシステムから受信された信号を処理することと、
　　受信ダイバーシティを使用して前記第１および第２のアンテナで第２のワイヤレスシステムから受信された信号を処理することと、
　のための少なくとも１つのプロセッサと、
　を備える、
　ワイヤレスデバイス。」
〈相違点１〉
　本願発明は、第１のアンテナから異なるフィルタ経路への受信信号の経路を制御する経路制御手段として「第１のスイッチ」を用いているのに対し、引用発明１は「クアドプレクサ230c」を用いている点。
〈相違点２〉
　本願発明は、動作モードとして第１のモードと第２のモードとを備えており、第１のモードでは、第２のアンテナでの受信のために選択されたフィルタ経路と同じ周波数帯に対応する、第１のアンテナでの受信のためのフィルタ経路を選択するように、第１及び第２のスイッチで受信経路を制御して第１及び第２のアンテナから受信された信号を受信ダイバーシティ処理し、第２のモードでは、第１のアンテナだけで第１のワイヤレスシステムから受信された信号を処理するのに対し、引用発明１は、動作モードを持つか否かが不明確である点。
（３）判断
（３−１）相違点１について
　引用文献１には、引用発明の他に、図２に示される実施形態（以下、「図２実施形態」という）及び図３に示される実施形態（以下、「図３実施形態」という）が記載されており、図２実施形態のダイプレクサ230a、図３実施形態のトリプレクサ230b及び引用発明１のクアドプレクサ230cは、いずれもダイバーシティアンテナ204で受信した受信信号を、その周波数帯域に応じた受信経路に入力するためのものである（摘記事項（オ）及び（カ）並びに（ア）第００２７段落を参照）。
　そして、引用文献１には、ダイプレクサ230aの代わりにＳＰ２Ｔスイッチを用いることもできるとの記載がある（摘記事項（ア）第００２７段落を参照）。
　してみれば、ダイプレクサ230aと基本的に同等な機能を持つ引用発明１のクアドプレクサ230cを、スイッチ（分岐の数に合わせてＳＰ４Ｔスイッチ）に置き換えることは、当業者が容易になし得たことである。
（３−２）相違点２について
　引用文献１には、図３実施形態において複数の動作モードを持つことが示されており、そのうちの動作モード１では主アンテナ及びダイバーシティアンテナによってＣＤＭＡシステムからの信号のダイバーシティ受信が行われ、動作モード４ではダイバーシティアンテナだけでＧＳＭシステムからの信号の受信が行われること（摘記事項（ウ）を参照）が記載されている。
　摘記事項（カ）のとおり、引用発明１は図３実施形態に対してＣＤＭＡの送受信経路を主アンテナ側及びダイバーシティアンテナ側の双方に１経路ずつ増やしたものに過ぎないから、図３実施形態と同様の動作モード、特に、動作モード１及び動作モード４を設けることは、当業者が容易になし得ることである。
　技術常識に鑑みれば、ダイバーシティ受信は同一の送信信号を別のアンテナで受信することで達成されるものであるから（摘記事項（ア）第００３６段落も参照）、ダイバーシティ受信を行う動作モード（動作モード１）において、主アンテナのＣＤＭＡ受信経路とダイバーシティアンテナのＣＤＭＡ受信経路とが、同一の信号を受信できるように、すなわち、同一の信号帯域に対応する受信経路を選択するようにしなければならないことは、必然のことである。
　してみれば、引用発明１に対して、動作モード１及び動作モード４を導入することによって、動作モード１（本願発明の「第１のモード」に対応）で動作しているか、または動作モード４（本願発明の「第２のモード」に対応）で動作しているかに基づいて、ダイバーシティアンテナ及び主アンテナから異なる受信経路への受信信号の経路を制御し、動作モード４で動作しているときは、ダイバーシティアンテナだけでＧＳＭから受信した信号を処理し、動作モード１で動作しているときは、受信ダイバーシティを使用してダイバーシティアンテナ及び主アンテナでＣＤＭＡから受信された信号を処理し、主アンテナでの受信のために選択された経路と同じ周波数帯に対応するダイバーシティアンテナでの受信のための経路を選択するように経路制御を行うことは、当業者が容易になし得ることである。
（３−３）効果について
　また、本願発明の構成によって生じる効果も、引用発明１から当業者が予測し得る範囲内のもので格別顕著であるとはいえない。
（３−４）審判請求書での主張について
　審判請求書における審判請求人の主張の大部分は、却下された本件補正に基づくものである。
　しかしながら、「（２）審査官は、拒絶理由通知において、引用文献２における主アンテナ（２０２）を第１のアンテナ、ダイバーシティアンテナ（２０４）を第２のアンテナと称されているが、拒絶査定においては、第１のアンテナ（２０４）、第２のアンテナ（２０２）と称されており、一貫していない。」との点については、本件補正とは無関係で、手続違背に関する主張であると認められるので、この点について以下で検討する。
　拒絶理由通知時の請求項１（平成２５年１０月１日付け手続補正書の請求項１）は、以下のとおりである。
〈拒絶理由通知時の請求項１〉
　少なくとも第１および第２のアンテナと、
　　前記第１のアンテナだけで第１のワイヤレスシステムから受信される信号を処理することであって、前記第１のワイヤレスシステムが、時分割同期符号分割多元接続（ＴＤ−ＳＣＤＭＡ）、および時分割複信ロングタームエボリューション（ＴＤＤ−ＬＴＥ）のうちの少なくとも１つを備えることと、
　　受信ダイバーシティを使用して前記第１および第２のアンテナで第２のワイヤレスシステムから受信される信号を処理することであって、前記第２のワイヤレスシステムが、ロングタームエボリューション（ＬＴＥ）および時分割多元接続（ＴＤＭＡ）のうちの少なくとも１つを備えることと
　のための少なくとも１つのプロセッサと
　を備えるワイヤレスデバイス。
　拒絶理由通知時の請求項１に係る発明において、第１のアンテナと第２のアンテナとの差は、第１のワイヤレスシステムからの信号が第１のアンテナだけで受信される点だけである。
　引用文献１（拒絶理由通知書及び拒絶査定の引用文献２）の第００４７段落の表２によれば、動作モード２ではＧＳＭの受信を主アンテナのみで行っており、動作モード４ではＧＳＭの受信をダイバーシティアンテナのみで行っている。
　すると、引用文献１に記載された無線デバイスのＧＳＭを拒絶理由通知時の請求項１に係る発明の第１のワイヤレスシステムと対応させ、ＣＤＭＡを第２のワイヤレスシステムと対応させて対比を行った場合、主アンテナを第１のアンテナとしても、主アンテナを第２のアンテナとしても、対比結果には差が生じない。
　そして、拒絶理由通知書では、引用文献１の第００４７段落の表２を引用箇所として明記しているのであるから、主アンテナを第１のアンテナとするか第２のアンテナとするかによって、拒絶理由通知時の請求項１に係る発明の進歩性の有無に差が生じないことは、拒絶理由通知書及び引用文献１の引用箇所を精読した時点で当然に理解されることである。
　一方、本願発明（平成２７年１月９日付け手続補正書の請求項１に係る発明）においても、第１のアンテナと第２のアンテナとの差は、第１のワイヤレスシステムからの信号が第１のアンテナだけで受信される点だけである。
　してみると、拒絶査定においてアンテナの対応関係を変えたとしても、拒絶査定の備考の記載は請求項１に関して拒絶理由通知書の備考の記載に反する結論を導くものではなく、このことは拒絶理由通知書から予見可能なことであるから、拒絶査定に手続違背が存在したとまでは言えない。
（４）むすび
　以上のとおり、本願発明は、引用発明１に基いて、当業者が容易に発明をすることができたものであるから、特許法第２９条２項の規定により特許を受けることができない。
　
　よって、結論のとおり審決する。